(57)【要約】      （修正有）【課題】反光レンズの代わりに光学レンズ及び液晶レンズを使用することにより、分解２Ｄ動画の立体視覚効果が不十分である技術的問題が解決され、このメガネをかけて２Ｄ動画が３Ｄ動画に見える、立体メガネを提供する。【解決手段】２群の光学レンズ及び右側の２つの交互透過液晶レンズが取り付けられる。装置１は２つのプリズムが折り畳まれて底面が長方形又は平行四辺形である組み合わせプリズムである。分解２Ｄ動画画面の元素光線は、角度が異なる２つの光線であり、光線視覚的距離差を形成する。装置２は左右交互透過時分割シャッター式液晶レンズグレーティングであり、等量時空分解２Ｄ動画画面は異なる２つの画面であり、画像視覚的距離差を形成する。左右メガネフレーム６、７内に形成される２つの「視覚的距離差」は２Ｄ動画の３Ｄ立体視覚映像に合成される。【選択図】図１
0003233322.tif 000002
【実用新案登録請求の範囲】
【請求項１】
メガネ外殻（１）、左メガネフレーム（６）及び右メガネフレーム（７）を含む２Ｄ動
画が３Ｄ動画に見える立体メガネであって、
左メガネフレーム（６）及び右メガネフレーム（７）内において、前後に２群の光学レ
ンズが取り付けられ、２群の光学レンズの間に左右２つの交互透過遮蔽レンズが取り付け
られることを特徴とする立体メガネ。
【請求項２】
２群の光学レンズは、２群のプリズムレンズであり、左メガネフレーム内の左前プリズ
ムレンズ（２）と左メガネフレーム内の左後プリズムレンズ（１０）、及び右メガネフレ
ーム内の右前プリズムレンズ（３）と右メガネフレーム内の右後プリズムレンズ（１１）
を含むことを特徴とする請求項１に記載の立体メガネ。
【請求項３】
メガネフレーム内の前端の左前プリズムレンズ（２）及び右前プリズムレンズ（３）、
メガネフレーム内の後端の左後プリズムレンズ（１０）及び右後プリズムレンズ（１１）
のプリズム面は同じ斜面又は直角面で対向して重ね合わせることにより取り付けられ、取
り付けられた後、左右メガネフレーム内の前後２つのプリズムレンズが同じ鏡面に対応し
て長方形六面体又は平行六面体に重なり合うことを特徴とする請求項２に記載の立体メガ
ネ。
【請求項４】
左右プリズムの重ね合わせ面とスクリーン平面との夾角￥は、左右メガネの最大視野角
幅に対応し、最大７０度の夾角￥１及び￥２で左右メガネフレーム内に取り付けられ、左
右２つのレンズの組み合わせの最大光分散効果が得られることを特徴とする請求項３に記
載の立体メガネ。
【請求項５】
左右２つの交互透過遮蔽レンズは、時分割シャッター式液晶レンズであり、左時分割シ
ャッター式液晶レンズ（４）及び右時分割シャッター式液晶レンズ（５）を含むことを特
徴とする請求項１に記載の立体メガネ。
【請求項６】
左時分割シャッター式液晶レンズ（４）及び右時分割シャッター式液晶レンズ（５）は
、２つのメガネフレーム内の２つのプリズム重ね合わせ鏡面の間、又はプリズムレンズ群
の前面若しくは後面に取り付けられることを特徴とする請求項５に記載の立体メガネ。
【請求項７】
左右メガネフレームは交互に光透過し、交互な光透過は、いずれも１つの光透過が終了
して１つの光透過が開始する交互変化により行われ、交互光透過の変換周波数は５〜３５
幅／秒であり、時分割スイッチ型液晶レンズは、液晶レンズパルス周波数コントローラ（
９）により液晶レンズ入力方形波パルス電圧が３〜２０Ｖ、正方波パルス周波数が５〜３
５Ｈｚ／秒となるように制御されることを特徴とする請求項６に記載の立体メガネ。
【考案の詳細な説明】
【技術分野】
【０００１】
本考案は、２Ｄ動画を３Ｄ動画に変換する立体メガネに関する。メガネにより２Ｄ動画
画面を撮影し、メガネの左右後レンズから出た分解した２Ｄ動画がそれぞれ左右眼に入っ
た後、２Ｄ動画が３Ｄ動画に変換された後の立体映像が見える。
【背景技術】
【０００２】
現在、２Ｄ動画の撮影は、シングルレンズによる撮影であり、撮影された動画映像が単
眼立体映像であることを特徴とする。
【０００３】
現在の３Ｄメガネは、３Ｄ映画画面を見るためのメガネである。３Ｄ映画画面は、実際
の撮影物に対して左右２つの２Ｄ撮影レンズを用いて角度をなすように撮影した後、表示
される左右眼で合成された映画画面であり、左右２つの２Ｄ映画画面が合成されて３Ｄ立
体視覚効果が形成される。このような３Ｄメガネとして、シャッターをライトバルブ液晶
とする時分割スイッチ型液晶レンズメガネがある。このような３Ｄメガネは、１）目に見
えるのが同一撮影物の２つの角度の２Ｄ映像であること、及び２）目に見えるのが同一撮
影物の異なる２つの画面の２Ｄ映像であることを特徴とする。
【０００４】
プリズムレンズの光学原理及び応用技術
プリズムレンズには正三角プリズム及び直角三角プリズムがある。
中国特許ＣＮ１０４２４６５７９Ａ（公開日：２０１４年１２月２４日）には、２Ｄ映
像又は物体画像を立体３Ｄ映像に変換可能名立体メガネが開示されており、メガネ内の左
右２群のいくつかの反射鏡の角度の組み合わせにより２Ｄ映像又は物体画像からの光線が
メガネの左右２群のいくつかの反射鏡により反射された後、一部の角度が異なる光線が形
成され、左右眼に入って少量の視覚的距離差が形成されることを特徴とする。
【考案の概要】
【考案が解決しようとする課題】
【０００５】
３Ｄ立体映像が見えず２Ｄ動画のみが見えるという単眼立体映像の問題を解決し、反射
分光のみを利用し異なる２つの２Ｄ映像がないことでメガネの立体感効果が不十分で実用
できないという中国特許ＣＮ１０４２４６５７９Ａの欠陥を克服するために、以下の問題
を解決する必要がある。
【０００６】
１．２つの角度で映画画面の３Ｄ映像をわざと撮影する必要がなく、この３Ｄメガネを
かけて２Ｄ画面を見ればよい。解决２Ｄ動画の同一群の平行光線による同一動画画像がそ
のまま両眼に入って立体視の互いな「干渉」が発生することで３Ｄ立体映像が見えないと
いう問題を解決することにより、３Ｄ立体映像が見えるようになる。
２．異なる画面の２Ｄ映像の技術的特徴がないことにより立体感効果が不十分であると
いう中国特許ＣＮ１０４２４６５７９Ａの欠陥を克服する。
３．現在３Ｄ映像角度で撮影された動画が異なる角度で左右眼に入ることによる視覚疲
労との欠陥を克服する。
【課題を解決するための手段】
【０００７】
前記１）、２）に記載の２つの角度の２Ｄ映像及び異なる２つの画面の２Ｄ映像の３Ｄ
メガネの技術的特徴は、以下の通りである。
２Ｄ動画が３Ｄ動画に見える立体メガネの外観及び内部構造は、メガネ外殻１、左メガ
ネフレーム６、右メガネフレーム７を含み、６左メガネフレーム及び７右メガネフレーム
内に２群の光学レンズが取り付けられ、２群の光学レンズの間に左右２つの交互透過遮蔽
レンズが取り付けられる。
【０００８】
２Ｄ動画が３Ｄ動画に見える立体メガネにおいて、図１に示される２群の光学レンズは
、２群のプリズムレンズであり、２左前プリズムレンズ、１０左後プリズムレンズ、３右
前プリズムレンズ、１１右後プリズムレンズを含む。
【０００９】
２Ｄ動画が３Ｄ動画に見える立体メガネにおいて、左右メガネフレームには（直角又は
等辺）プリズムレンズ：２左前プリズムレンズと１０左後プリズムレンズ、及び３左前プ
リズムレンズと１１右後プリズムレンズの２群のレンズが取り付けられ、角度をなす２つ
の２Ｄ撮影レンズに相当する。取り付けは図１に示すように、１メガネ外殻の６左メガネ
フレーム及び７右メガネフレームの前後にそれぞれ、図１の右メガネフレームの前後のプ
リズムレンズの取付位置１の点線ブロック１及び左メガネフレームの前後のプリズムレン
ズの取付位置２の点線ブロック２に示される互いに逆方向に取り付けられる２枚の直角プ
リズムレンズが嵌合される。２左前プリズムレンズ、３右前プリズムレンズ、１０左後プ
リズムレンズ、１１右後プリズムレンズを、同じ斜面又は直角面で対向して重ね合わせる
ことにより取り付ける。取り付けられた後、左右メガネフレーム内の前後２つのプリズム
レンズが同じ鏡面に対応して長方形六面体又は平行六面体に重なり合う。左右メガネフレ
ームに取り付けられた２枚のプリズムレンズは、同じプリズム面に対応して長方形六面体
又は平行六面体に重なり合い、即ち、底面が長方形又は平行四辺形である四角柱を形成す
る。
【００１０】
２Ｄ動画が３Ｄ動画に見える立体メガネにおいて、図１に示される重ね合わせ面とスク
リーン平面との夾角￥及び斜辺角度が３０度のプリズムの重ね合わせ面とスクリーン平面
との夾角￥は、左右メガネの最大視野角幅に対応し、７０度未満な最大夾角￥１及び￥２
は左右メガネフレームに取り付けられ、左右両レンズの組み合わせの最大光分散効果が得
られる。逆方向に取り付けられる２枚のプリズムにより、対物レンズ光線が互いに逆方向
に光路を２回変化させることで、視覚画像の光路は変化しない。対物レンズの効果は平面
レンズと同じであるが、２Ｄ表示スクリーンからの平面光が２群のレンズに入る入射角が
異なるため、メガネの左右プリズムレンズの組み合わせの屈折反射作用により、１０左後
プリズムレンズ、１１右後プリズムレンズから出たのは同一動画の異なる角度の光線であ
り、入射光線が左右メガネの異なる光線に分解され、両眼視野が異なる視覚的距離差が発
生することに相当する。
【００１１】
２Ｄ動画が３Ｄ動画に見える立体メガネにおいて、左右２つの交互透過遮蔽レンズが取
り付けられる。左右２つの交互透過遮蔽レンズは、時分割シャッター式液晶レンズであり
、４左時分割スイッチ型液晶レンズ及び５右時分割スイッチ型液晶レンズを含む。
【００１２】
２Ｄ動画が３Ｄ動画に見える立体メガネにおいて、図１に示すように、左右メガネフレ
ーム６、７に交互透過遮蔽レンズ：４左交互透過レンズ、５右交互透過レンズが取り付け
られる。左右２つの交互透過液晶レンズは時分割シャッター式液晶レンズであり、４左時
分割シャッター式液晶レンズ及び５右時分割シャッター式液晶レンズを含む。４左時分割
シャッター式液晶レンズ及び５右時分割シャッター式液晶レンズは２つのメガネフレーム
内の２つのプリズムの重ね合わせ鏡面の間、又はプリズムレンズ群の前面若しくは後面に
取り付けられる。メガネの左右２つの遮蔽レンズにより２Ｄ動画を交互に遮蔽することに
より、２Ｄ動画画面を交互に撮影することに相当する。交互透過遮蔽レンズは時分割シャ
ッター式液晶レンズを使用し、２つのレンズにパルス方形波電圧を印加することにより、
時分割シャッター式液晶レンズは２Ｄ動画を交互に遮蔽し、左右眼が異なる方形波周波数
で異なる画面の２つの２Ｄ動画を交互に透過する。
【００１３】
２Ｄ動画が３Ｄ動画に見える立体メガネにおいて、図１に示すように、２枚の時分割シ
ャッター式液晶レンズを用いて左右メガネフレーム内の遮蔽レンズを構成し、前後２枚の
プリズムレンズ内又はレンズ群の前後に取り付けられる。パルス方形波３〜２０Ｖの電圧
で左右液晶レンズに方形波パルス電圧を提供し、入力パルス電圧の方形波周波数は５〜３
５Ｈｚであり、左右２つのメガネレンズ液晶半導体は交互電圧の作用下で交互に透過し、
いずれも１つの光透過が終了して１つの光透過が開始する交互変化により行われ、左右メ
ガネフレームは交互に透過し、立体感視覚を形成する。左右メガネフレームの交互透過変
換周波数は５〜３５幅／秒である。時分割スイッチ型液晶レンズは、９時分割スイッチ型
液晶レンズのパルス周波数コントローラにより液晶レンズの入力方形波パルス電圧が３〜
２０Ｖ、正方波パルス周波数が５〜３５Ｈｚ／秒となるように制御する。
【考案の効果】
【００１４】
２Ｄ動画から出た各方向の平行光線は立体視覚光線である。両眼がスクリーンを直接見
る場合、両眼の平行光線に対する対称性及び動画画像に対する同一性は、両眼の２Ｄ動画
に対する立体視覚感の生成を干渉する。本メガネの左右メガネフレーム内の前後逆方向で
重ね合わせた２群の直角又は等角プリズムレンズ及び左右交互遮蔽レンズにより、左右レ
ンズ群に入射した光線は、プリズムレンズの組み合わせにより複数回反射、屈折されると
ともに、左右時分割スイッチ型液晶遮蔽レンズにより交互に透過することにより、２Ｄ動
画の同一方向の光線は角度が異なる２つの方向の光線及び時空が異なる２つの動画画面に
分けられる。角度が異なる光線の異なる画面は一定の周波数でそれぞれ左右メガネフレー
ムから交互に左右眼に入ることにより、同一角度の平行光線及び同一の２Ｄ動画の両眼の
立体視覚感に対する「干渉」の問題が解消され、メガネをかけてそのまま２Ｄ動画を見る
だけで、３Ｄ立体視覚効果が得られる目的が実現される。
【図面の簡単な説明】
【００１５】
【図１】本考案の立体メガネを示す。メガネ外殻１、左右メガネフレーム６、７、テンプル８及びブリッジ１２、メガネフレーム内の直角プリズムレンズ２、１０及び３、１１、左右交互透過時分割スイッチ型液晶レンズ４、５を含む。図１は、液晶グレーティングパルス周波数コントローラ９の全体構造、形状及び位置関係の正面図、２つのストレートプリズム斜面の対向取付位置２の点線ブロック図である。
【考案を実施するための形態】
【００１６】
図１に示される２Ｄ動画を３Ｄ動画に変換する立体メガネは、メガネ外殻１を含む。メ
ガネ外殻１の左右メガネフレーム６、７内には底面が直角三角形のプリズムの長辺面が対
向して取り付けられる直角プリズム光学レンズ群２、１０及び３、１１（２群、２枚／群
）が取り付けられ、両レンズの間又は前後の交互透過遮蔽レンズ４、５に取り付けられる
。
【００１７】
図１に示すように、メガネ外殻１の左右メガネフレーム６、７内の前後端には、直角プ
リズムレンズ２、１０及び３、１１が取り付けられる。角度が６０度の直角プリズムレン
ズを使用し、前レンズ入射面の入射角は視野角範囲を保証し、できるだけ大角度で取り付
け、反射角度を増加させ、反射量を増加させる。左右メガネフレームのレンズ面に入る屈
折光線は角度が異なる光線であることで、左右２つの後プリズムレンズ１０、１１からよ
り多い角度が異なる光線が出る。これによって、２群の光線の視覚差がより大きく、立体
視覚感がより強くなる。
【００１８】
図１において、左右メガネフレーム内には交互透過プリズムレンズ群２、１０及び３、
１１、時分割シャッター式液晶遮蔽レンズ４、５がある。液晶レンズは、メガネの前直角
プリズムレンズ２、３及び後直角プリズムレンズ１０、１１の間に取り付けられる。液晶
レンズは、前後レンズとして取り付けることもできる。前レンズ又はレンズは２つのプリ
ズムレンズ群である。
【００１９】
図１の時分割シャッター式液晶レンズ４、５の交互透過は、いずれも１つの光透過が終
了して１つの光透過が開示する交互変化により行われる。メガネフレーム中に取り付けら
れる液晶レンズパルス周波数コントローラ９により時分割シャッター式液晶レンズグレー
ティングの入力パルス電圧の方形波周波数を制御する。コントローラは６〜２０Ｖの交流
方形波パルス電圧を出力し、左右メガネフレーム６、７の２つの時分割シャッター式液晶
レンズ４、５の２つの電極に交互変換の方形波パルス電圧を提供することにより、レンズ
４、５は左右交互に透過光を遮蔽する。液晶グレーティング方形波周波数は５〜３５Ｈｚ
／秒である。
【符号の説明】
【００２０】
１メガネ外殻
２左前（直角）プリズムレンズ
３右前（直角）プリズムレンズ
４左時分割スイッチ型液晶レン０３１４ズ
５右時分割スイッチ型液晶レンズ
６左メガネフレーム
７右メガネフレーム
８テンプル
９時分割スイッチ型液晶レンズパルス周波数コントローラ
１０左後（直角）プリズムレンズ
１１右後（直角）プリズムレンズ
１２メガネブリッジ
【００２１】
実施例１
図１は立体メガネの取付構造図である。示されるメガネ外殻１）の外形は通常の左右メ
ガネフレーム６、７を有するメガネに基づくものでさる。メガネの左右メガネフレーム６
、７内に前（直角）プリズムレンズ２、３及び後（直角）プリズムレンズ１０、１１が取
り付けられる。前後の両直角プリズムの斜角面は図１の点線ブロック２に示されるように
対向して重ね合わせることで底面が長方形又は平行四辺形の六角柱輪郭体となるように取
り付けられる。メガネ外殻１の左右メガネフレーム６、７内の前後端の上面には２枚の（
直角）プリズムレンズが取り付けられる。メガネの前側の左右２つのレンズは非対称して
同じ方向で２Ｄスクリーン面と異なる角度で取り付けられる。メガネの後側の左右２つの
直角プリズムメガネレンズの斜面と前側の左右２つの直角プリズムレンズの斜面との重ね
合わせ面と、スクリーン面との夾角は、広い視野角度光取り効果が確保される条件下で最
大化され、入射光線は異なる反射、屈折で分光されるとともに、メガネは広い視野を有す
る。前後２つの重ね合わせるた直角プリズムレンズ群の図１に示される２つの取付位置２
の点線ブロック図内のレンズ群の光入射面、重ね合わせ面は２Ｄ動画画像平面に対する夾
角￥が大きければ（重ね合わせ面と２Ｄスクリーン面の夾角が７０度未満である）、光分
散効果、即ち光線視覚的距離差の効果は良くなる。
【００２２】
図１に示される交互に開閉する時分割シャッター式液晶レンズ４、５は、メガネの左右
メガネフレーム６、７内に取り付けられる前透射レンズ２、３と後透射レンズ１０、１１
との間に取り付けられる。プリズムレンズ群及び時分割シャッター式液晶グレーティング
レンズはそれぞれ独立してメガネフレーム内に取り付けられてもよい。
【００２３】
液晶レンズパルス周波数コントローラ９は、２つのメガネフレームの中間に取り付けら
れ、コントローラは３〜２０Ｖ交流方形波パルス電圧を出力し、左右メガネフレーム６、
７の２つの時分割シャッター式液晶レンズ４、５の２つの電極に交互に変換する方形波パ
ルス電圧を提供することにより、レンズ４、５は左右交互に透過光を遮蔽する。入力パル
ス電圧の方形波周波数は５〜３５Ｈｚであることが好ましい。
【図１】
0003233322.tif 000003